(57)【特許請求の範囲】
【請求項１】
金属板製のベースシェルと、該ベースシェル上に被着する金属板製のカバーシェルとで形成され、前部にメモリカード挿入口を開口した箱状のコネクタ本体と、
メモリカードのＩ／Ｏ接触面に対応するコンタクトを樹脂製基体に両側方向に並行するように保持させ、上記コネクタ本体の後部内に上記コンタクトを上記メモリカード挿入口方向に向けて配置されるコンタクトブロックと、
該コンタクトブロックと上記メモリカード挿入口との間の上記コネクタ本体内に前後方向に移動自在に配置され、上記メモリカード挿入口からのメモリカードの挿抜操作に伴ってメモリカードとともに前後移動するスライダーとから成り、 上記スライダーは移動方向に直交する中央片と、該中央片の前面両側より前方へ突出した両側の脚片とを有し、該両側脚片間にメモリカードが挿入される合成樹脂成形品からなり、後部両側に付勢用コイルばねによる前方方向への付勢力を受け、
上記付勢用コイルばねは、一端部を上記コネクタ本体の後部面から外部に臨ませてコネクタ本体内の両側に夫々配置され、上記外部に露出した付勢用コイルばねの一端部から付勢用コイルばねの内部に一端が挿入され、他端が上記コネクタ本体に固持されるばね座用突片を備え、上記コンタクトブロックの基体の両側面には、上記付勢用コイルばねを上記コネクタ本体の後部面からコネクタ本体内に挿入するための凹欠を設けていることを特徴とするメモリカード用コネクタ装置。
【請求項２】
上記スライダーの両側脚片の前端部内側面を該両側脚片間の距離が前方に向けて拡がるように形成した傾斜面とし、上記コネクタ本体のカード挿入口側にはメモリカードの非挿着状態で上記付勢用コイルばねの付勢力により前方移動した上記スライダーの両側脚片の上記傾斜面に当接して両側脚片に対して拡開する方向の力を付与する傾斜面部位を設けていることを特徴とする請求項１記載のメモリカード用コネクタ装置。
【請求項３】
上記ばね座用突片に、上記付勢用コイルばねへの挿入時に上記コネクタ本体の後部面に対向する仮止め用突起を一体に設けると共に、該仮止め用突起を圧入させる溝をコネクタ本体の後部面に形成し、上記ばね座用突片の後端部が、付勢用コイルばねへの挿入時に付勢用コイルばねに当接するより前に、上記仮止め用突起の先端が上記コネクタ本体の後部面の溝に圧入されるように、上記仮止め用突起の長さを設定したことを特徴とする請求項１又は２記載のメモリカード用コネクタ装置。
【請求項４】
上記コンタクトブロックは上記基体に上記コンタクトをインサート成形により一体保持させていることを特徴とする請求項１乃至３の何れか記載のメモリカード用コネクタ装置。
【請求項５】
上記コンタクトブロックは上記基体に上記コンタクト以外にメモリカードの位置やライトプロテクト状態を検知するスイッチ片を保持していることを特徴とする請求項１乃至４の何れか記載のメモリカード用コネクタ装置。
【請求項６】
上記コンタクトブロックは上記基体の後面側に上記コンタクト及び上記スイッチ片の半田付け端子部を突出させるとともに上記カバーシェル側に上記半田付け端子部を折り曲げて上記カバーシェル側に上記半田付け端子部の先端の半田付け部位を配置していることを特徴とする請求項１乃至５の何れか記載のメモリカード用コネクタ装置。
【請求項７】
上記コンタクトブロックの上記基体の後面側に突出させる上記コンタクト及び上記スイッチ片の半田付け端子部が、上記基体の後面より突出させた各種実装形式に対応可能な長さの導電部材を実装形式に対応させてその長さと曲げ形状とを切断加工と曲げ加工とで設定されたものであることを特徴とする請求項１乃至６の何れか記載のメモリカード用コネクタ装置。
【請求項８】
上記コンタクトブロックに保持されている上記コンタクト中、挿着されるメモリカードのＩ／Ｏ接触面に最初に接するコンタクトの先端より上記メモリカード挿入口側の上記コネクタ本体内に、挿入方向の面が正規側で挿着されるメモリカードに対してメモリカードの裏面に設けたＩ／Ｏ接触面へ誘い込む溝の開口により衝合が回避され、且つ挿入方向の面が非正規側の場合に挿入側のメモリカード前面に衝合して移動を規制する逆挿入防止用の突片を設け、上記メモリカード挿入口には表裏方向が正規方向で挿入されるメモリカードの裏面の両側に前後方向の全長に亘るように形成された下向き段部が通過し、表裏方向が非正規方向のメモリカードに対して衝合する突片を設けていることを特徴とする請求項１乃至７の何れか記載のメモリカード用コネクタ装置。
【請求項９】
上記スライダーに一端が固定され、上記スライダーの一方の脚片の外側から該脚片の内側方向に他端を臨ませるように弾発するロック片を備えるとともに、上記脚片側のロック片側面に当接する突片を上記コネクタ本体から突設し、上記ロック片の形状が、メモリカードの挿入による上記スライダーの後方移動位置が所定位置に至るまで上記突片の当接で上記ロック片の他端が上記脚片の内側面より上記スライダー内に突出しないように規制され、上記スライダーの後方移動位置が所定位置に至ると上記突片による規制が解除されて上記他端が上記脚片の内側面より上記スライダー内へ突出し、上記脚片に対応するメモリカード側面に設けた凹部に係入してメモリカードをロックする形状に形成されていることを特徴とする請求項１乃至８の何れか記載のメモリカード用コネクタ装置。
【請求項１０】
上記ベースシェルの片側の側片の内側方向に上記スライダーの前後方向の移動を規制するピンの一端を支持する支持手段を設け、該支持手段に対向する上記スライダーの脚片に、上記スライダーを上記ベースシェル上に配置する際に上記支持手段を逃がすための切り欠きを設けたことを特徴とする請求項１乃至９の何れか記載のメモリカード用コネクタ装置。
【請求項１１】
上記コネクタ本体の絶縁を必要とする面側に絶縁テープを貼着して成ることを特徴とする請求項１乃至１０の何れか記載のメモリカード用コネクタ装置。
【請求項１２】
請求項１乃至１１の何れか記載のメモリカード用コネクタ装置の製造方法であって、上記ベースシェルの上面後部に上記コンタクトブロックを、上記コンタクトを上記メモリカード挿入口方向に向けた状態で配置し、該コンタクトブロックの前方側の上記ベースシェル上に上記スライダーを載置し、上記カバーシェルを上記ベースシェル上に被せて上記コネクタ本体を形成し、該コネクタ本体の後部から、上記コンタクトブロックの両側に設けられた凹欠に上記付勢用コイルばねを挿入して付勢用コイルばねをコネクタ本体内の両側に夫々配置し、コネクタ本体の後部面から外部に臨んだ上記各付勢用コイルばねの後端から上記ばね座用突片の一端を挿入し、ばね座用突片の他端を上記コネクタ本体に固持させることを特徴とするメモリカード用コネクタ装置の製造方法。
【発明の詳細な説明】
【０００１】
【発明の属する技術分野】
本発明は、ＳＤメモリカードのようなメモリカードを挿抜自在に接続するためのコネクタ装置に関するものである。
【０００２】
【従来の技術】
ＳＤメモリカードのようなメモリカードを接続する従来のコネクタ装置としては、図２４に示すように金属製のカバーシェル１０００と、樹脂成形品のベース１００１と、スライダー１００２と、このスライダー１００２を前方へ付勢するコイルばね１００３と、コンタクト１００４…と、ライトプロテクト検出用のスイッチ片１００５ａ、１００５ｂと、スライダー１００２の側面に設けたハートカム溝部１００７に一端の軸部を係入するピン１００６等で構成され、ベース１００１の両側側壁の前端に嵌め込む係止部材１００８によって、ベース１００１上に被着するカバーシェル１００の前部両側を固定することで、コネクタ本体を形成するものが提供されている。
【０００３】
この従来例装置では、コンタクト１００４…をベース１００１の後壁に圧入することで保持させ、またベース１００１の一方の側壁にスイッチ片１００５ａ，１００５ｂを圧入保持させている。またベース１００１の他方の側壁の内面に沿って移動自在に配置されるスライダー１００２はメモリカード（図示せず）の挿入時には挿入されるメモリカードによって押されることでコイルばね１００３の付勢に抗して後方移動し、コンタクト１００４…がメモリカードのＩ／Ｏ接触面に接する所定位置で挿入力が解除されるとコイルばね１００３の付勢と、ハートカム溝部１００７に対するピン１００６の軸部の係合とでスライダー１００２の移動位置がロックされるようなっている。
【０００４】
そして挿着されたメモリカードが取り外されるときには、一旦メモリカードが挿入方向に押されることで、ハートカム溝部１００７とピン１００６の軸部との係合状態を解除され、その後メモリカードの押す力が解除されるとコイルばね１００３の付勢力でスライダー１００２が前方へ移動してメモリカードを押し出すようになっている。
【０００５】
【発明が解決しようとする課題】
ところで上記のようなコネクタ装置では、比較的大きな平面で且つ実装スペースを小さくすることが要求されるため、ベース１００１の形状が複雑化し、またカバーシェル１０００を極薄い金属板で製作している。そのため組み立て後や、カードメモリの挿着時にそりによる変形が生じやすく、その結果メモリカードの挿抜に支障を来すと言う問題があった。
【０００６】
またコンタクト１００４…の平坦度も出しにくいため、メモリカードの挿着時に接触不良が発生したり、基板への半田付け時に半田付け不良が発生しやすという問題があった。
【０００７】
本発明は上記の問題点に鑑みて為されたもので、その目的とするところは薄型化と機械的強度の確保とが両立し、変形等によってメモリカードの挿抜に支障を来すことがないメモリカード用コネクタ装置を提供するにある。
【０００８】
【課題を解決するための手段】
上記目的を達成するために、請求項１の発明では、金属板製のベースシェルと、該ベースシェル上に被着する金属板製のカバーシェルとで形成され、前部にメモリカード挿入口を開口した箱状のコネクタ本体と、メモリカードのＩ／Ｏ接触面に対応するコンタクトを樹脂製基体に両側方向に並行するように保持させ、上記コネクタ本体の後部内に上記コンタクトを上記メモリカード挿入口方向に向けて配置されるコンタクトブロックと、該コンタクトブロックと上記メモリカード挿入口との間の上記コネクタ本体内に前後方向に移動自在に配置され、上記メモリカード挿入口からのメモリカードの挿抜操作に伴ってメモリカードとともに前後移動するスライダーとから成り、上記スライダーは移動方向に直交する中央片と、該中央片の前面両側より前方へ突出した両側の脚片とを有し、該両側脚片間にメモリカードが挿入される合成樹脂成形品からなり、後部両側に付勢用コイルばねによる前方方向への付勢力を受け、上記付勢用コイルばねは、一端部を上記コネクタ本体の後部面から外部に臨ませてコネクタ本体内の両側に夫々配置され、上記外部に露出した付勢用コイルばねの一端部から付勢用コイルばねの内部に一端が挿入され、他端が上記コネクタ本体に固持されるばね座用突片を備え、上記コンタクトブロックの基体の両側面には、上記付勢用コイルばねを上記コネクタ本体の後部面からコネクタ本体内に挿入するための凹欠を設けていることを特徴とする。
【００１０】
請求項２の発明では、請求項１の発明において、上記スライダーの両側脚片の前端部内側面を該両側脚片間の距離が前方に向けて拡がるように形成した傾斜面とし、上記コネクタ本体のカード挿入口側にはメモリカードの非挿着状態で上記付勢用コイルばねの付勢力により前方移動した上記スライダーの両側脚片の上記傾斜面に当接して両側脚片に対して拡開する方向の力を付与する傾斜面部位を設けていることを特徴とする。
【００１３】
請求項３の発明では、請求項１又は２の発明において、上記ばね座用突片に、上記付勢用コイルばねへの挿入時に上記コネクタ本体の後部面に対向する仮止め用突起を一体に設けると共に、該仮止め用突起を圧入させる溝をコネクタ本体の後部面に形成し、上記ばね座用突片の後端部が、付勢用コイルばねへの挿入時に付勢用コイルばねに当接するより前に、上記仮止め用突起の先端が上記コネクタ本体の後部面の溝に圧入されるように、上記仮止め用突起の長さを設定したことを特徴とする。
【００１４】
請求項４の発明では、請求項１乃至３の何れかの発明において、上記コンタクトブロックは上記基体に上記コンタクトをインサート成形により一体保持させていることを特徴とする。
【００１５】
請求項５の発明では、請求項１乃至４の何れかの発明において、上記コンタクトブロックは上記基体に上記コンタクト以外にメモリカードの位置やライトプロテクト状態を検知するスイッチ片を保持していることを特徴とする。
【００１６】
請求項６の発明では、請求項１乃至５の何れか記載の発明において、上記コンタクトブロックは上記基体の後面側に上記コンタクト及び上記スイッチ片の半田付け端子部を突出させるとともに上記カバーシェル側に上記半田付け端子部を折り曲げて上記カバーシェル側に上記半田付け端子部の先端の半田付け部位を配置していることを特徴とする。
【００１７】
請求項７の発明では、請求項１乃至６の何れか記載の発明において、上記コンタクトブロックの上記基体の後面側に突出させる上記コンタクト及び上記スイッチ片の半田付け端子部が、上記基体の後面より突出させた各種実装形式に対応可能な長さの導電部材を実装形式に対応させてその長さと曲げ形状とを切断加工と曲げ加工とで設定されたものであることを特徴とする。
【００１８】
請求項８の発明では、請求項１乃至７の何れかの発明において、上記コンタクトブロックに保持されている上記コンタクト中、挿着されるメモリカードのＩ／Ｏ接触面に最初に接するコンタクトの先端より上記メモリカード挿入口側の上記コネクタ本体内に、挿入方向の面が正規側で挿着されるメモリカードに対してメモリカードの裏面に設けたＩ／Ｏ接触面へ誘い込む溝の開口により衝合が回避され、且つ挿入方向の面が非正規側の場合に挿入側のメモリカード前面に衝合して移動を規制する逆挿入防止用の突片を設け、上記メモリカード挿入口には表裏方向が正規方向で挿入されるメモリカードの裏面の両側に前後方向の全長に亘るように形成された下向き段部が通過し、表裏方向が非正規方向のメモリカードに対して衝合する突片を設けていることを特徴とする。
【００１９】
請求項９の発明では、請求項１乃至８の何れかの発明において、上記スライダーに一端が固定され、上記スライダーの一方の脚片の外側から該脚片の内側方向に他端を臨ませるように弾発するロック片を備えるとともに、上記脚片側のロック片側面に当接する突片を上記コネクタ本体から突設し、上記ロック片の形状が、メモリカードの挿入による上記スライダーの後方移動位置が所定位置に至るまで上記突片の当接で上記ロック片の他端が上記脚片の内側面より上記スライダー内に突出しないように規制され、上記スライダーの後方移動位置が所定位置に至ると上記突片による規制が解除されて上記他端が上記脚片の内側面より上記スライダー内へ突出し、上記脚片に対応するメモリカード側面に設けた凹部に係入してメモリカードをロックする形状に形成されていることを特徴とする。
【００２０】
請求項１０の発明は、請求項１乃至９の何れかの発明において、上記ベースシェルの片側の側片の内側方向に上記スライダーの前後方向の移動を規制するピンの一端を支持する支持手段を設け、該支持手段に対向する上記スライダーの脚片に、上記スライダーを上記ベースシェル上に配置する際に上記支持手段を逃がすための切り欠きを設けたことを特徴とする。
【００２１】
請求項１１の発明は、請求項１乃至１０の何れかの発明において、上記コネクタ本体の絶縁を必要とする面側に絶縁テープを貼着して成ることを特徴とする。
【００２２】
請求項１２の発明は、請求項１乃至１１の何れか記載のメモリカード用コネクタ装置の製造方法であって、上記ベースシェルの上面後部に上記コンタクトブロックを、上記コンタクトを上記メモリカード挿入口方向に向けた状態で配置し、該コンタクトブロックの前方側の上記ベースシェル上に上記スライダーを載置し、上記カバーシェルを上記ベースシェル上に被せて上記コネクタ本体を形成し、該コネクタ本体の後部から、上記コンタクトブロックの両側に設けられた凹欠に上記付勢用コイルばねを挿入して付勢用コイルばねをコネクタ本体内の両側に夫々配置し、コネクタ本体の後部面から外部に臨んだ上記各付勢用コイルばねの後端から上記ばね座用突片の一端を挿入し、ばね座用突片の他端を上記コネクタ本体に固持させることを特徴とする。
【００２３】
【発明の実施の形態】
以下本発明を実施形態１乃至３により説明する。
【００２４】
（実施形態１）
図１、図２はＳＤメモリカードのようなメモリカードＭＣに対応した本実施形態の全体の分解斜視図及び全体斜視図を示しており、本実施形態のコネクタ装置は、図示するように厚さが極薄いステンレス金属板を打ち抜き且つ曲げ加工することにより形成されたベースシェル１と、このベースシェル１と同様に厚さが極薄いステンレス金属板を打ち抜き且つ曲げ加工することにより形成され、ベースシェル１上に被着することで扁平で前部にメモリカード挿入口４２を開口した箱状のコネクタ本体３をベースシェル１とで構成するカバーシェル２と、コネクタ本体３の後部内に装着されるコンタクトブロック４と、コンタクトブロック４の前方側のコネクタ本体３内に前後方向に移動自在に配置されるコ字型の樹脂成形品からなるスライダー５とを主要な構成要素としたものである。
【００２５】
ベースシェル１は図３に示すように両側に上面（コネクタ本体３の内側に対応）側方向に折り曲げて形成した側片６ａ，６ｂを設けたもので、前後端が開放されている。そして後端にはコンタクトブロック４の樹脂製基体７に上下方向に貫通させた圧入孔８（図４参照）に下方から圧入してコンタクトブロック４を後部上面に固定するための突出片９を所定間隔で両側方向に４つ折り曲げ形成している。
【００２６】
また後端よりやや前方位置にはコンタクトブロック４に固持される後述する各コンタクト１０…及びスイッチ片３０ａ，３０ｂ、３１ａ、３１ｂを逃がすための孔１１…を形成してある。
【００２７】
また各側片６ａ，６ｂの後端には各側片６ａ，６ｂの内側面に並行するように設けられるばね座用突片１２，１２の後端が一体連設されている。
【００２８】
これらのばね座用突片１２はスライダー５の付勢用コイルばね１３の座屈を防止するために、付勢用コイルばね１３の一端部内に挿入される。図５はベースシェル１の側片６ｂ側で、ばね座用突片１２を折り曲げ形成する前の展開状態のベースシェル１の形成用金属板の一部を示す。
【００２９】
ところで側片６ａの上記ばね座用突片１２の先端位置よりやや前方位置には内側方向に、上記スライダーの前後方向の移動を規制するピン１６の一端を支持する支持手段たるＬ字状片１４を切り起こしにより形成してある。詳しくは、このＬ字状片１４はその立片１４ａに軸孔１４ｂを形成し、この軸孔１４ｂに後述するスライダー５の片側の脚片５ｃの前側の外側面に形成したハートカム溝部１５に一端の軸部１６ｂを移動自在に係入させるピン１６の他端の軸部１６ａを回動自在に軸支するようになっている。
【００３０】
ピン１６は立片１４ａに並行するスライダ−５の脚片５ｃの側面に形成した凹み部内に配置され、上述のように軸部１６ｂを上記ハートカム溝部１５に係入する。
【００３１】
更にベースシェル１の側片６ａの前部には上記ピン１６の側面を側片６ａに並行するスライダー５の上記脚片５ｃ側に押圧する押圧ばね片１７を切り起こし形成してある。
【００３２】
またベースシェル１の前端（メモリカード挿入口４２側）には両側縁が前方に広がるように拡開形成した凹欠を形成し、この凹欠の傾斜辺となる両側縁に沿って上方に向けて逆入れ防止用の突片１８を切り起こしにより形成している。
【００３３】
この突片１８，１８間がメモリカードＭＣのメモリカード挿入口４２に対応し、各突片１８の上部内側縁部には段部１８ａを形成し、この両側の突片１８，１８の段部１８ａ，１８ａより上側の内側縁間の寸法をメモリカードＭＣの両側の最大幅の寸法よりやや大きく設定し、またベースシェル１の上面と段部１８ａの上向き面との間の寸法を、ベースシェル１の上面に裏面側を乗せた状態のメモリカードＭＣの裏面両側縁に前後方向の全長に亘って形成している下向き段部１９の下向き面の高さ寸法よりやや小さい寸法に設定し、且つこの上向き段部１８ａより下側の内側縁間の寸法をメモリカードＭＣの下向き段部１９より下方の両側幅の寸法よりやや大きく設定してある。
【００３４】
これによりメモリカードＭＣの裏面側をベースシェル１の上面側に載せる状態ではメモリカードＭＣの下向き段部１９が突片１８の段部１８ａ上を通過することができて上記メモリカード挿入口４２からのメモリカードＭＣの挿入を可能とし、逆にメモリカードＭＣの表面をベースシェル１の上面側に向けた場合にはメモリカードＭＣのベースシェル１側となった両側部が両側の突片１８，１８の内側縁間を通過できず、メモリカードＭＣの表裏方向の間違いによる誤挿入を防止するようなっている。
【００３５】
また図４（ｂ）に示すコンタクトブロック４に右端のコンタクト１０，つまり挿着されるメモリカードＭＣのＩ／Ｏ接触面に最初に接触するコンタクト１０に対応する図３（ｂ）の右端の孔１１の前側（メモリカード挿入口４２側）の内側縁には切り起こしによってストッパ片２６を形成している。つまりメモリカードＭＣの前後方向が正規の方向でメモリカード挿入口４２に挿入される場合には、メモリカードＭＣの裏面に設けたＩ／Ｏ接触面（図示せず）へ誘い込む溝（図示せず）の開口を介してコンタクト１０…は接触位置へ移動することができるが、前後方向を逆にした非正規の方向でメモリカードＭＣが挿入されようとした場合には挿入方向の前面部にストッパ片２６が衝合してそれ以上の移動を規制し、コンタクトブロック４のコンタクト１０…の先部がメモリカードＭＣに挿入側の前面に当たって破損されるのを防ぐようになっている。
【００３６】
一方カバーシェル２は図６に示すように両側に折り曲げによって下向きの側片２０，２０を一体に設け、また後端には所定間隔で３つの下向きの突出片２１を折り曲げ形成している。これらの突出片２１はベースシェル１上にカバーシェル２を被着する際に、ベースシェル１の上面後端部に配置するコンタクトブロック４の基体７上面に開口するように貫通させている圧入孔２２に圧入してコンタクトブロック４を固定するためのものである。
【００３７】
またこのカバーシェル２の前部側にはコネクタ本体３内に挿入されるメモリカードＭＣの表面に印した［ＳＤ］マークが視認できる窓孔２３を打ち抜き形成するとともに、この窓孔２３の両側には並行するようにスリット２４を打ち抜き形成し、このスリット２４と窓孔２３の間の部位２５の中央部をカバーシェル２の下面よりも下方へ突出させてその突出先端で上記コネクタ本体３内に挿入されるメモリカードＭＣの表面に弾性接触させてメモリカードＭＣを押さえる部位としている。
【００３８】
コンタクトブロック４は、図４に示すようにメモリカードＭＣの後部裏面に複数（ＳＤメモリでは９つ）並行形成しているＩ／Ｏ接触面に夫々対応接触するコンタクト１０…と、メモリカードＭＣの位置検出用の一対のスイッチ片３０ａ，３０ｂと、メモリカードＭＣのライトプロテクトスイッチＳＷの位置検出用の一対のスイッチ片３１ａ，３１ｂとを樹脂製の基体７にインサート成形によって一体保持させており、基体７の前面（メモリカード挿入口４２）側にはコンタクト１０…及びスイッチ片３０ａ，３０ｂ，３１ａ、３１ｂの接触側を突出させ、後面側には回路基板等に夫々を半田付けするための半田付け端子部３２…を突出させている。そして基体７は前側上部に段部を設け、この段部に一端が開口するように上記圧入孔８…を上下方向に貫通させ、また基体７の後側上面に一端が開口するように圧入孔２２…を基体７の後部に上下方向に貫通させている。また基体７の両側面にはベースシェル１の後部両側に設けたばね座用突片１２，１２を挿入する付勢用コイルばね１３，１３の一端側部を嵌めてガイドする凹欠４７を設けてある。ここで一側面側の凹欠４７を基体７の下部側に、他側面側の凹欠４７は基体の上部側に夫々設けている。
【００３９】
スライダー５は、図７、図８に示すように合成樹脂成形品によりコ字型に形成されたものであって、中央片５ａの両端前部より前方へ脚片５ｂ、５ｃを一体突出されてコ字型に形成されものであり、中央片５ａの下面側には、スライダー５の後方移動時にスイッチ片３０ａ，３０ｂ、３１ｃ，３１ｂやコンタクト１０…の先部を前方へ突出させるための凹溝３３…を対応形成してある。
【００４０】
両側脚片５ｂ、５ｃはメモリカードＭＣの左右側部のガイドとして機能するもので、夫々の前端内側面を図７に示すように脚片５ｂ、５ｃの内側面間の距離が外向けに拡開するように傾斜面３４，３４としてある。
【００４１】
また一方の脚片５ｂには上部後端から中央方向に外側部と上部と後端部とが開口した断面略Ｕ型の細溝３５ａを形成し、他方の脚片５ｃには下部後端より中央方向に外側部と下部と後端部とが開口した断面略Ｕ型の細溝３５ｂを形成してある。
【００４２】
これらの細溝３５ａ、３５ｂには上述した付勢用コイルばね１３の他端部が収納されて、細溝３５ａ、３５ｂの前端内面が付勢用コイルばね１３の弾発力を受ける面となっている。ここで両脚片５ｂ、５ｃが均等に付勢用コイルばね１３，１３の弾発力を前方方向に受けることで、スライダー５はコネクタ本体３内をスムーズに前後方向に摺動できることになる。
【００４３】
また両脚片５ｂ、５ａの内側面の下部には前端から後方に向けてメモリカードＭＣの両側の下向き段部１９を載置摺動するための受けガイド５０ａ、５０ｂを一体に形成してある。
【００４４】
更に一方の脚片５ｃの前部側の外側面にはハートカム溝部１５を形成してある。このハートカム溝部１５は図９に示すようにハートカム１５ａとガイド溝１５ｂとから構成され、ピン１６の軸部１６ｂをガイド溝１５ｂに係入し、スライダー５の前後移動に伴い、ガイド溝１５ｂとガイド溝１５ｂの底面に形成した凹凸面１５ｃとでピン１６ｂの軸部１６ｂのガイド溝１５ｂ内の相対的な移動をガイドするようなっている。
【００４５】
また中央片５ａと脚片５ｃとで囲まれた入り隅にはメモリカードＭＣの挿入側の前部の一角に形成した傾斜カット部２７が衝合する傾斜面５ｄを前面に形成した張出部５ｅを設けている。この張出部５ｅには脚片５ｃの外側面に一端が開口し、また張出部５ｅの上面に開口したスリット溝３６を傾斜面５ｄに並行するように形成している。このスリット溝３６はメモリカードＭＣの一側面に形成したロック用凹部３７に一端を係止させる金属製の弾性を有するロック片３８の他端を係入固定するためのものである。
【００４６】
ロック片３８は他端を上記のスリット溝３６に圧入してスライダー５に取り付けられ、一端をハートカム溝部１５後方の脚片５ｃ上部に形成した凹欠部３９を介して脚片５ｃの内側面側へ臨ませるようになっている。
【００４７】
而して本実施形態のコネクタ装置を組み立てるに当たっては、ベースシェル１の両側片６ａ，６ｂの後端より側片６ａ、６ｂに夫々内側で並行するように折り曲げ形成したばね座用突片１２，１２を付勢用コイルばね１３，１３の一端部内に挿入させることで、付勢用コイルばね１３、１３をベースシェル１の後部両側内に配する。
【００４８】
次いでベースシェル１の上面後部にコンタクトブロック４を載置する。このときベースシェル１の後端に突出させている突出片９…をコンタクトブロック４の圧入孔８…に下方から圧入してコンタクトブロック４をベースシェル１上に固定する。またこの際基体７の両側面に形成した凹欠４７，４７内に付勢用コイルばね１３，１３の後端側部を夫々収納する。次にこのように配置されたコンタクトブロック４の前方側のベースシェル１上にスライダー５を載置する。この際付勢用コイルばね１３，１３の前部をスライダー５の両脚片５ｂ、５ｃの後部側面に形成している細溝３５ａ、３５ｂに嵌める。そしてピン１６の一端の軸部１６ａをベースシェル１の側片６ａから切り起こしているＬ字状片１４の立片１４ａの軸孔１４ｂに挿入して軸支させるとともに、ピン１６をスライダー５の脚片５ｃと、ベースシェル１の側片６ａの内側との間に配置し、更にピン１６の他端の軸部１６ｂを脚片５ｃの前部外側面に形成しているハートカム溝部１５に係入する。ピン１６はこのときベースシェル１の側片６ａに設けている押圧ばね片１７により脚片５ｃ方向に付勢される。
【００４９】
ここでスライダー５は付勢用コイルばね１３，１３により付勢されて前方（メモリカード挿入口４２側）へ押し動かされて両脚片５ｂ、５ｃの前端部に形成した傾斜面３４、３４がベースシェル１の前端に設けた突片１８，１８の裏面の傾斜面部に衝合してスライダー５のそれ以上の前方への移動が規制される。この状態ではピン１６の一端がガイド溝１５ｂの後端へ移動▲１▼（図９参照）している。
【００５０】
尚スライダー５には上述のようにロック片３８を取り付ける。
【００５１】
このようにしてベースシェル１上にコンタクトブロック４，スライダー５を配置するとともに、付勢用コイルばね１３，１３、ピン１６，ロック片３８を装着した後、カバーシェル２を上方からベースシェル１に被せる。この際カバーシェル２の後端に形成した突出片２１…をコンタクトブロック４の基体７の圧入孔２２に上方から圧入するとともに、両側片２０，２０をベースシェル１の両側片６ａ，６ｂの外側面に沿うように垂下させる。このときカバーシェル２の両側片２０，２０に切り起こしによって形成された弾性係止片４０…の上向き先部が、ベースシェル１の両側片６ａ，６ｂに対応するように設けた係止孔４１…に係止されることになる。これにより両シェル１，２が互いに結合されて扁平で前部にメモリカードＭＣの挿入口４２を開口した箱状のコネクタ本体３が形成されるとともに同時にコネクタ装置が完成することになる。
【００５２】
ここで本実施形態のコネクタ装置は、各コンタクト１０…及びスイッチ片３０ａ，３０ｂ、３１ａ，３１ｂの半田付け端子部３２…の下面と、ベースシェル１の後、前後両側下面に突出させた載置用突部６０…の下面と、脚片５ｂの前端と突片１８との間の前縁及び脚片５ｃの前端と突片１８との間より前方に突出させた半田付け片６１，６１の下面とを低くしたＳＭＤ型のコネクタ装置を構成している。また、金属製のコネクタ本体３をアースすることで静電気や外部ノイズに強いものとなる。
【００５３】
図１０はメモリカードＭＣを挿着しない状態のコネクタ装置を示しており、この状態では、付勢用コイルばね１３，３の弾発力を受けてスライダー５がメモリカード挿入口４２方向に移動した状態にある。この状態ではロック片３８はカバーシェル２に切り起こしより下方に向けて突出形成した突片４４が基部付近の側面に当たって、一端がスライダー５の脚片５ｃの内側面より内部へ突出しないように規制されている状態にある。
【００５４】
次にメモリカードＭＣをコネクタ装置へ挿着する場合の各部の動作について説明する。
【００５５】
まずメモリカードＭＣを前後方向及び表裏方向を正規な方向に向けてコネクタ本体３のメモリカード挿入口４２から挿入すると、メモリカードＭＣの下面両側部の下向き段部１９，１９がベースシェル１の前端に形成している突片１８の段部１８ａ上を図１０（ｂ）に示すように通過してメモリカードＭＣの先部がコネクタ本体３内のスライダー５の両脚片５ｂ、５ｃ間に挿入され、受けガイド５０ａ、５０ｂ上に下向き段部１９，１９が乗ることになる。更にメモリカードＭＣをコネクタ本体３内に挿入すると、やがてメモリカードＭＣの先部の片側に形成した傾斜カット部２７がスライダー５の張出部５ｅの傾斜面５ｄに衝合してスライダー５を後方へ押すことになる。また更にスライダー５に加わる付勢用コイルばね１３、１３の弾発力に抗して更にメモリカードＭＣを押し入れると、メモリカードＭＣの移動に共動してスライダー５が後退することになる。このスライダー５の後退によりピン１６の軸部１６ｂはハートカム溝部１５のガイド溝１５ｂの底部の凹凸面１５ｃによってガイドされながらハートカム１５ａの上側のガイド溝１５ｂへ移動▲２▼（図９参照）することになる。そしてメモリカードＭＣをライダー１５の中央片１５ａの後面がコンタクトブロック４の基体７の前面に当たる位置に近い位置まで押し込むと、ピン１６の軸部１６ｂがガイド溝１５ｂの先端に当たる位置▲３▼（図９参照）至ることになり、それ以上の押し込みができなくなる。この位置でメモリカードＭＣに加えていた押し込み力を解除すると、付勢用コイルばね１３の弾発力によりスライダー５がメモリカードＭＣと共に前方へ戻りかけるが、ピン１６の軸部１６ｂがガイド溝１５ｂに案内されながら移動してハートカム１５ａの凹部１５ｄに嵌り込むことになる。従ってこれ以上のスライダー５の前方移動が規制され、メモリカードＭＣはその位置でコネクタ本体３内に留まることになる。
【００５６】
さて上記メモリカードＭＣは押し込みによってその先部が所定位置へ移動すると、スライダー５の中央片５ａの下面の凹溝３３…より前方へ突出せる各コンタクト１０…の先部がメモリカードＭＣの裏面に形成した対応するＩ／Ｏ接触面にコンタクト１０…の長さに応じて順次接触することになる。またスライダー５の中央片５ａの凹溝３３を介して前方へ突出せるスイッチ片３０ａの先部がメモリカードＭＣの傾斜カット部２７によって押されて他方のスイッチ片３０ｂに接触するとスイッチオンとなる。このスイッチ信号を利用して外部の検出回路（図示せず）によりメモリカードＭＣが正規位置に挿着されたことを検出することができる。
【００５７】
またスイッチ片３１ａ，３１ｂ側に対応するメモリカードＭＣの一側面にはライトプロテクトのスイッチＳＷの摘み４５が露出する凹部４６を設けており、スイッチＳＷの摘み４５の凹部４６内の移動位置により、スイッチ片３１ｂの先部が摘み４５に乗り上げるか凹部４６内に落ち込むことで下方に位置するスイッチ片３１ａの先部から離れるか接触することになり、このスイッチ信号でメモリカードＭＣがライトプロテクト状態にあるか否かを検出できるようになっている。
【００５８】
上述のスライダー５の移動は上記のハートカム１５ａの凹部１５ｄにピン１６の軸部１６ｂが嵌り込むことで規制されるが、メモリカードＭＣはそのままではコネクタ本体３内より脱落する恐れがある。本実施形態では、スライダー５が所定位置へ移動すると、このスライダー５とともに移動するロック片３８の中間部位に形成した突出部３８ａがカバーシェル２側に突出させた突片４４を越える。突出部３８ａが突片４４を越えると、突片４４による規制がなくなり、ロック片３８が撓んでその一端が脚片５ｃの内側面方へ凹欠部３９を介して突出し、その一端がメモリカードＭＣの一側部に形成したロック用凹部３７に係入してメモリカードＭＣをロックする。この状態が図１１に示す状態である。
【００５９】
ここで、メモリカードＭＣをロックするタイミングや位置はロック片３８の形状によって設定変更することができるため、電子機器に本発明コネクタ装置を採用して組み込むユーザーの希望する仕様に簡単に変更することができる。
【００６０】
以上のように挿着されたメモリカードＭＣをコネクタ装置より取り出すときには、まずコネクタ本体３のメモリカード挿入口４２より露出するメモリカードＭＣの後部を挿入方向に押してスライダー５とともにメモリカードＭＣを挿入方向へ移動させる。この移動によってピン１６の軸部１６ｂがハートカム１５ａの凹部１５ｄから離脱するとともにガイド溝１５ｂにガイドされて凹部１５ｄより下方のガイド溝１５ｂ内へ移動する。そしてメモリカードＭＣの押し込み力を解除すると、スライダー５は付勢用コイルばね１３，１３の弾発力により前方へ移動することなる。この移動によりカバーシェル２の突片４４がロック片３８の突出部３８ａを越えてロック片３８の基部側へ移動し、ロック片３８の一端を脚片５ｃの凹部内へ戻してメモリカードＭＣのロックを解除する。
【００６１】
同時にピン１６の軸部１６ｂはガイド溝１５ｂにガイドされながらハートカム１５ａの下方のガイド溝１５内▲４▼（図９参照）を介して移動する。スライダー５は付勢用コイルばね１３，１３の弾発力によりメモリカード挿入口４２側へ移動して図１０に示す状態に復帰することになり、メモリカードＭＣの後部がコネクタ本体３のメモリカード挿入口４２から外部へ大きく露出し、メモリカードＭＣをコネクタ本体３から取り出すことができることになる。
【００６２】
ところで樹脂成形品のスライダー５の両脚片５ａ、５ｂは、成形時や、加熱、更にはメモリ挿抜時の弾性付勢よって内側方向へ変形し、メモリカードＭＤの未挿入時における、両脚片５ｂ、５ｃの先端間の寸法として、メモリカードＭＤが当たらないように挿入可能とする寸法を確保できない恐れがある。そのため本実施形態では、メモリカードＭＤの未挿入時にはスライダー５の両脚片５ｂ，５ｃの前端部の傾斜面３４，３４がベースシェル１の前端両側に突出させている突片１８，１８の裏側の傾斜面に当接して両脚片５ｂ、５ｃを外方向に広げるような力を受けるような構成としている。従って脚片５ｂ、５ｃの上記の内側方向への変形が防止されてメモリカードＭＤが当たらないような寸法を確保でき、その結果メモリカードＭＤの挿抜がスムーズに行えるのである。
【００６３】
またスライダー５を付勢する付勢用コイルばね１３は極めて外径が小さく、しかも外径に比べて両端間の寸法が長いため座屈し易いが、本実施形態では、ばね座用突片１２を付勢用コイルばね１３の透孔内へ挿入させることとコンタクトブロック４の基体７の両側面の凹欠４７に付勢用コイルばね１３の一端側部を嵌めてガイドさせることにより、スライダー５の移動時やロック時等に荷重がかかっても付勢用コイルばね１３，１３が座屈するのを防止するようになっている。
【００６４】
さて上述したコネクタ装置はＳＭＤ構造であるが、ベースシェル１に切り起こしによるＤＩＰやスタンドオフ用脚片７０…を下方向に突出させるができるようにするとともに、図１２（ａ）（ｂ）に示すように半田付け片６１…を直線形状とするとともに長くしてＤＩＰ型に対応させたり、或いは先端の半田付け部位までの足片を長くしてスタンドオフ型に対応させても良く、従ってこの半田付け片部位の打ち抜き、折り曲げの金型を変更するだけでＳＭＤ、ＤＩＰ、スタンドオフの夫々に対応するベースシェル１が製作できる。
【００６５】
この場合コンタクトブロック４側のコンタクト１０…及びスイッチ片３０ａ、３０ｂ、３１ａ、３１ｂの半付け端子部３２を、ＳＭＤ、ＤＩＰ、スタンドオフ型に対応させて形成するためにインサート成形時においては夫々に対応して形成することができるだけの寸法の導電材料を用いてインサート成形し、インサート成形後の最終の曲げ加工と切断加工時に用いる分断型の変更で夫々の型に対応するようにする。これにより使用する部材が共通化できて、夫々の部材の在庫管理が容易となる上に、インサート成形の金型設備の削減が図れる。
【００６６】
ところでコンタクト装置を基板等に実装する場合に基板の回路パターンに対して絶縁を必要とする場合や、他の部品との絶縁を必要とする場合には、絶縁テープ８０を必要とするコネクタ本体３の面に貼着すると良い。
【００６７】
尚、細溝３５ａの前端内面には、図２３に示すように、付勢用コイルばね１３の一端を係止させ、付勢用コイルばね１３が細溝３５ａにうまく収納されるように、突起５ｇを設けてもよい。
【００６８】
また、図１８に示すように、スライダー５の脚片５ｃに、スライダー５をベースシェル１上に配置する際にＬ字状片１４を逃がすための、切り欠き５ｆを設けてもよい。
【００６９】
（実施形態２）
上記実施形態１の場合ベースシェル１を実装基板側に配置することを前提としているが、本実施形態は、カバーシェル２を実装基板側に配置する構造（以下リバース型という）としたものである。
【００７０】
本実施形態のリバース型の場合、図１３に示すようにベースカバー１にはカバーシェル２が被着された状態でコネクタ本体３の高さ分だけ長くし、図１４に示すカバーシェル２の表面側に至るように半田付け片６１…を形成することでＳＭＤ型を構成でき、上記のＤＩＰ、スタンドオフ型の半田付け片６１の長さを、図１５（ａ）（ｂ）に示すようにコネクタ本体３の高さ分だけ長くすることで、またＤＩＰ、スタンドオフに対応させることができる。尚図１４中６２はカバーシェル２に設けた半田付け端子である。
【００７１】
またコンタクトブロック４のコンタクト１０…、スイッチ片３０ａ、３０ｂ、３１ａ、３１ｂの半田付け端子部３２を形成する部位の長さをコネクタ本体３の高さ分だけ長くして、カバーシェル２側へ折り曲げて形成することで夫々のリバース型におけるＳＭＤ、ＤＩＰ、スタンドオフの夫々の実装形式に対応させることができｂる。
【００７２】
図１６はリバース型のＳＭＤ用のコンタクトブロック４を示し、図１７はリバース型のコンタクト装置の一部省略した側面を示す。
【００７３】
尚図１３〜図１７に示す構成要素で実施形態１の構成要素と同じ構成要素には同じ符号を付して説明は省略する。
【００７４】
（実施形態３）
本実施形態における基本構成は実施形態１と共通するために共通する部分については同一の符号を付して説明を省略し、本実施形態の特徴となる部分についてのみ詳細に説明する。
【００７５】
則ち本実施形態は、詳しくは後述するように、ばね座用突片をコネクタ本体３とは別部材で形成し、コネクタ本体３を組み立てた後に、コンタクトブロック４の基体７の両側面に設けられた凹欠４７から付勢用コイルばね１３を、一端部がコネクタ本体３の後部面から外部に臨むように挿入し、該外部に露出した付勢用コイルばねの一端部から付勢用コイルばねの内部にばね座用突片の一端を挿入し、ばね座用突片の他端とコネクタ本体とを嵌合して組み立てる点に特徴がある。
【００７６】
図１９に、本実施形態のばね座用突片１００を示す。このばね座用突片１００は、付勢用コイルばね１３の内部に挿入される座屈防止針１０１と、図２０に示すように、コネクタ本体３を形成するベースシェル１の側片６ａ及び６ｂに設けられた角孔切り欠き１１０ａ，１１０ａ及び１１０ｂ，１１０ｂと嵌合されコネクタ本体３に固持される凸部１０２，１０２と、付勢用コイルばね１３へ挿入される際にコネクタ本体３の後部面と対向する仮止め用突起１０３とからなる。
【００７７】
仮止め用突起１０３の後端１０３ｂから先端１０３ａまでの長さ１００Ｌは、ばね座用突片１００を付勢用コイルばね１３へ挿入した際に、ばね座用突片の後端部１００ａが付勢用コイルばね１３の一端部に当接するより前に、仮止め用突起の先端１０３ａがコネクタ本体３の後部面に形成された、後述する溝２００に圧入されるように設定されている。
【００７８】
凸部１０２，１０２は、仮止め用突起１０３の後部に切り起こしによって形成されている。
【００７９】
図２０に、本実施形態のベースシェル１を示す。このベースシェル１は、図３の実施形態１のベースシェル１と比較して、付勢用コイルばね１３を保持していたばね座用突片１２がなくなり、両側片６ａ，６ｂに本実施形態のばね座用突片１００の凸部１０２，１０２と嵌合するための、角孔切り欠き１１０ａ，１１０ａ及び１１０ｂ，１１０ｂが新たに設けられている。また、ベースシェル１の側片６ａから６ｂまでの長さは、コンタクトブロック４を載置した際に、コンタクトブロック４と両側片６ａ，６ｂとの間に溝２００が形成されるように、少しコンタクトブロック４の横幅より長く形成されている。
【００８０】
図１８に、本実施形態のスライダー５を示す。このスライダー５には、脚片５ｃにベースシェル１のＬ字状片１４を逃がすための、切り欠き５ｆが設けられている。
【００８１】
次に、上述したばね座用突片１００及びベースシェル１を用いたコネクタ装置の製造方法を、図２１及び２２を用いて説明する。
【００８２】
まず、ベースシェル１の上面後部にコンタクトブロック４を、各コンタクト１０をメモリカード挿入口４２方向に向けた状態で載置する。この時、ベースシェル１の後端に突出させている突出片９…をコンタクトブロック４の圧入孔８…に下方から圧入してコンタクトブロック４をベースシェル１上に固定する。次に、ピン１６の一端の軸部１６ａをベースシェル１の側片６ａから切り起こしているＬ字状片１４の立片１４ａの軸孔１４ｂに挿入して軸支させる。
【００８３】
次に、スライダー５の張出部５ｅに設けられたスリット溝３６にロック片３８を取り付け、スライダー５をコンタクトブロック４の前方側のベースシェル１上に載置する。この際、スライダーの脚片５ｃに設けられた切り欠き５ｆからＬ字状片１４及びピン１６を逃がすようにして載置し、同時に、ピン１６の他端の軸部１６ｂをスライダー５の脚片５ｃの前部外側面に形成しているハートカム溝部１５に係入し、ピン１６を、スライダー５の脚片５ｃとベースシェル１の側片６ａとの内側の間に配置させる。これにより、ピン１６は、ベースシェル１の側片６ａに設けている押圧ばね片１７により脚片５ｃ方向に付勢された状態となる。
【００８４】
次に、カバーシェル２を上方からベースシェル１に被せる。この際、カバーシェル２の後端に形成した突出片２１…をコンタクトブロック４の基体７の圧入孔２２に上方から圧入すると共に、両側片２０，２０をベースシェル１の両側片６ａ，６ｂの外側面に沿うようにして垂下させる。これにより、カバーシェル２の両側片２０，２０に切り起こしによって形成された弾性係止片４０…の上向き先部が、ベースシェル１の両側片６ａ，６ｂに対応するように設けた係止孔４１…に係止され、ベースシェル１とカバーシェル２とが結合される。
【００８５】
以上で、扁平で前部にメモリカード挿入口４２を開口した箱状のコネクタ本体３が形成される。
【００８６】
次に、図２２に示すように、コネクタ本体３の後部から、コンタクトブロック４の基体７の両側面に形成した凹欠４７，４７に向けて、付勢用コイルばね１３，１３を挿入する。これにより、付勢用コイルばね１３は、一端部をコネクタ本体３の後部面から外部に臨ませてコネクタ本体内の両側に夫々配置された状態となる（外部に露出した付勢用コイルばね１３の長さを１３Ｌとする）。
【００８７】
次に、ばね座用突片１００の一端部である座屈防止針１０１，１０１を、外部に露出した付勢用コイルばね１３の一端部から付勢用コイルばね１３の内部に挿入していく。この時、前述したように、ばね座用突片１００の仮止め用突起１０３の長さ１００Ｌは、外部に露出した付勢用コイルばね１３の長さ１３Ｌより、少し長めに設定されているので、ばね座用突片の後端部１００ａが付勢用コイルばね１３の一端部に当接してばねを撓ませるより前に、仮止め用突起の先端１０３ａが、コネクタ本体３の後部面にベースシェル１の側片６ａ，６ｂとコンタクトブロック４とによって形成された溝２００に圧入されていく。これにより、付勢用コイルばね１３の復元力に逆らってばね座用突片１００の挿入を行っても、ばね座用突片１００が回転し挿入の位置がずれることがなくなり、簡単に挿入を行うことができる。
【００８８】
ばね座用突片１００の仮止め用突起１０３を溝２００に圧入していき、ばね座用突片１００の凸部１０２，１０２が、ベースシェル１の側片６ａ又は６ｂに設けられた角孔切り欠き１１０ａ，１１０ａ又は１１０ｂ，１１０ｂと嵌合されると、ばね座用突片１００がコネクタ本体３に固持され、コネクタ装置が完成する。凸部１０２，１０２及び角孔切り欠き１１０ａ，１１０ａ及び１１０ｂ，１１０ｂを設けたことにより、ばね座用突片１００を挿入するだけで容易にばね座用突片１００とコネクタ本体３とを固定できる。
【００８９】
かかるコネクタ装置においては、コネクタ本体３を組み立てた後に、付勢用コイルばね１３をコネクタ本体内に挿入することから、スライダー５を付勢用コイルばね１３の復元力に逆らって取り付ける必要がなくなり、スライダー５の取り付けが容易となる。また付勢用コイルばね１３もコネクタ本体３に挿入するだけで良いので、付勢用コイルばね１３が極細形状であっても容易に挿入できる。
【００９０】
また、ベースシェル１の構造が簡単になり、材料歩留まりも良くなる。
【００９１】
また、図２３でスライダー５の細溝３５ａに設けていた突起５ｇが不要となり、スライダー５の金型構造も簡単になる。
【００９２】
尚上記実施形態１，２，３はＳＤメモリを対象としたものであるが、他の種類のメモリカードに対しても、本発明における技術は適用できるものあるから、特にＳＤメモリに限定されるものではない。
【００９３】
【発明の効果】
請求項１の発明は、金属板製のベースシェルと、該ベースシェル上に被着する金属板製のカバーシェルとで形成され、前部にメモリカード挿入口を開口した箱状のコネクタ本体と、メモリカードのＩ／Ｏ接触面に対応するコンタクトを樹脂製基体に両側方向に並行するように保持させ、上記コネクタ本体の後部内に上記コンタクトを上記メモリカード挿入口方向に向けて配置されるコンタクトブロックと、該コンタクトブロックと上記メモリカード挿入口との間の上記コネクタ本体内に前後方向に移動自在に配置され、上記メモリカード挿入口からのメモリカードの挿抜操作に伴ってメモリカードとともに前後移動するスライダーとから成り、上記スライダーは移動方向に直交する中央片と、該中央片の前面両側より前方へ突出した両側の脚片とを有し、該両側脚片間にメモリカードが挿入される合成樹脂成形品からなり、後部両側に付勢用コイルばねによる前方方向への付勢力を受け、上記付勢用コイルばねは、一端部を上記コネクタ本体の後部面から外部に臨ませてコネクタ本体内の両側に夫々配置され、上記外部に露出した付勢用コイルばねの一端部から付勢用コイルばねの内部に一端が挿入され、他端が上記コネクタ本体に固持されるばね座用突片を備え、上記コンタクトブロックの基体の両側面には、上記付勢用コイルばねを上記コネクタ本体の後部面からコネクタ本体内に挿入するための凹欠を設けているので、薄型化を図っても金属製のコネクタ本体により機械的な強度を確保することができ、また金属製のコネクタ本体であるためメモリカードの挿抜の繰り返しにも変形や摩耗が殆どなく、しかも金属製であるためアースが取れ、静電気や外部ノイズに強いメモリカード用コネクタ装置を提供できるという効果がある。また、メモリカードの挿抜時の左右の荷重バランスが良くなって、メモリカードの挿抜がスムーズになり、従ってスライダーの摩耗等も少なく、挿抜寿命が延び、しかも挿抜時のクリック感触も良くなり、またカードメモリの挿入時の摺動抵抗も軽減できるためメモリカード挿入時の挿入力も小さくてすみ、メモリカードのＩ／Ｏ接触面等の摩耗も少なくなり、また片側だけの付勢時に起きるメモリカードの所謂こじりが無くなって、復帰不良も発生しないという効果もある。さらに、上記構成により、上記ばね座用突片がコネクタ本体とは別部材で形成され、コネクタ本体を組み立てた後に上記付勢用コイルばねをコネクタ本体に挿入すれば良いので、スライダーや付勢用コイルばねの取り付けが容易となり組立て性が向上し、また、コネクタ本体にばね座用突片を備える必要がないので、コネクタ本体の構造が簡単になるという効果がある。
【００９５】
請求項２の発明は、請求項１の発明において、上記スライダーの両側脚片の前端部内側面を該両側脚片間の距離が前方に向けて拡がるように形成した傾斜面とし、上記コネクタ本体のカード挿入口側にはメモリカードの非挿着状態で上記付勢用コイルばねの付勢力により前方移動した上記スライダーの両側脚片の上記傾斜面に当接して両側脚片に対して拡開する方向の力を付与する傾斜面部位を設けているので、樹脂製のスライダーの両側脚片の内側変形があっても、スライダーの両側脚片を拡開させる力を与えることにより、両側脚片間の寸法をメモリカードの挿入ができる寸法に確保することができ、その結果メモリカードの挿抜をスムーズに行えるという効果がある。
【００９８】
請求項３の発明は、請求項１又は２の発明において、上記ばね座用突片に、上記付勢用コイルばねへの挿入時に上記コネクタ本体の後部面に対向する仮止め用突起を一体に設けると共に、該仮止め用突起を圧入させる溝をコネクタ本体の後部面に形成し、上記ばね座用突片の後端部が、付勢用コイルばねへの挿入時に該付勢用コイルばねに当接するより前に、上記仮止め用突起の先端が上記コネクタ本体の後部面の溝に圧入されるように、上記仮止め用突起の長さを設定したので、上記ばね座用突片とコネクタ本体とを挿入する際に、上記ばね座用突片の後端部が付勢用コイルばねに当接してばねが撓む前に、上記仮止め用突起の先端が上記コネクタ本体の後部面の溝に圧入されるので、付勢用コイルばねの復元力に逆らって上記ばね座用突片の挿入を行っても、ばね座用突片が回転して挿入の位置がずれることがなくなり、組立て性が向上するという効果がある。
【００９９】
請求項４の発明は、請求項１乃至３の何れかの発明において、上記コンタクトブロックは上記基体に上記コンタクトをインサート成形により一体保持させているので、部品点数や組み立て工数の削減ができ、またコンタクトの位置精度を確保し易く、コンタクトの平坦度の確保が容易となるという効果がある。
【０１００】
請求項５の発明では、請求項１乃至４の何れかの発明において、上記コンタクトブロックは上記基体に上記コンタクト以外にメモリカードの位置やライトプロテクト状態を検知するスイッチ片を保持しているので、メモリカードの位置やライトプロテクト状態を検知するスイッチ片もコンタクトブロックで一つの部材として扱え、請求項５の発明の効果をスイッチ片についても得られるという効果がある。
【０１０１】
請求項６の発明は、請求項１乃至５の何れか記載の発明において、上記コンタクトブロックは上記基体の後面側に上記コンタクト及び上記スイッチ片の半田付け端子部を突出させるとともにカバー側となるシェル側に上記半田付け端子部を折り曲げて当該シェル側に上記半田付け端子部の先端の半田付け部位を配置しているので、カバー側を実装側とするリバース配置に対応させることができ、しかも半田付け端子の加工で対応することができるため、加工前の部品をベース側を実装側とする通常の装置と共通化することができて、部品在庫が容易となる上に、インサート成形の金型設備の削減できるという効果がある。
【０１０２】
請求項７の発明は、請求項１乃至６の何れか記載の発明において、上記コンタクトブロックの上記基体の後面側に突出させる上記コンタクト及び上記スイッチ片の半田付け端子部が、上記基体の後面より突出させた各種実装形式に対応可能な長さの導電部材を実装形式に対応させてその長さと曲げ形状とを切断加工と曲げ加工とで設定されたものであるので、スタンドオフ、ＤＩＰ型、ＳＭＤ型などの実装形式や上記のリバース配置に容易に対応させることができ、しかも半田付け端子の加工で対応することができるため、加工前の部品をベース側を実装側とする通常の装置と共通化することができて、部品在庫が容易となる上に、インサート成形の金型設備の削減できるという効果がある。
【０１０３】
請求項８の発明は、請求項１乃至７の何れかの発明において、上記コンタクトブロックに保持されている上記コンタクト中、挿着されるメモリカードのＩ／Ｏ接触面に最初に接するコンタクトの先端より上記メモリカード挿入口側の上記コネクタ本体内に、挿入方向の面が正規側で挿着されるメモリカードに対してメモリカードの裏面に設けたＩ／Ｏ接触面へ誘い込む溝の開口により衝合が回避され、且つ挿入方向の面が非正規側の場合に挿入側のメモリカード前面に衝合して移動を規制する逆挿入防止用の突片を設け、上記メモリカード挿入口には表裏方向が正規方向で挿入されるメモリカードの裏面の両側に前後方向の全長に亘るように形成された下向き段部が通過し、表裏方向が非正規方向のメモリカードに対して衝合する突片を設けているので、メモリカードの表裏方向の間違いや前後方向の間違いによる誤挿入を防ぐことができ、特に前後方向の間違いによる誤挿入によって起きるコンタクトの破損も防げるという効果がある。
【０１０４】
請求項９の発明は、請求項１乃至８の何れかの発明において、上記スライダーに一端が固定され、上記スライダーの一方の脚片の外側から該脚片の内側方向に他端を臨ませるように弾発するロック片を備えるとともに、上記脚片側のロック片側面に当接する突片を上記コネクタ本体から突設し、上記ロック片の形状が、メモリカードの挿入による上記スライダーの後方移動位置が所定位置に至るまで上記突片の当接で上記ロック片の他端が上記脚片の内側面より上記スライダー内に突出しないように規制され、上記スライダーの後方移動位置が所定位置に至ると上記突片による規制が解除されて上記他端が上記脚片の内側面より上記スライダー内へ突出し、上記脚片に対応するメモリカード側面に設けた凹部に係入してメモリカードをロックする形状に形成されているので、ロック片の形状を変更することによって使用するユーザーが希望するタイミングや位置でロック動作を対応させることが容易にできるという効果がある。
【０１０５】
請求項１０の発明は、請求項１乃至９の何れかの発明において、上記ベースシェルの片側の側片の内側方向に上記スライダーの前後方向の移動を規制するピンの一端を軸支する支持部を設け、該支持部に対向する上記スライダーの脚片に、上記スライダーを上記ベースシェル上に配置する際に上記支持部を逃がすための切り欠きを設けたので、上記スライダーをベースシェル上に配置する際に、上記切り欠きから上記支持部を逃がして配置すればよいので、スライダーの配置が容易になり、また配置の際にスライダーに傷をつけたり変形させたりすることを防止できるという効果がある。
【０１０６】
請求項１１の発明は、請求項１乃至１０の何れかの発明において、上記コネクタ本体の絶縁を必要とする面側に絶縁テープを貼着して成るので、実装時に他の部品や基板との間の絶縁が必要な場合に、絶縁を必要とするコネクタ本体の面に絶縁テープを貼るだけで対応することができ、また必要のない場合にも容易に対応することができるという効果がある。
【０１０７】
請求項１２の発明は、請求項１乃至１１の何れか記載のメモリカード用コネクタ装置の製造方法であって、上記ベースシェルの上面後部に上記コンタクトブロックを、上記コンタクトを上記メモリカード挿入口方向に向けた状態で配置し、該コンタクトブロックの前方側の上記ベースシェル上に上記スライダーを載置し、上記カバーシェルを上記ベースシェル上に被せて上記コネクタ本体を形成し、該コネクタ本体の後部から、上記コンタクトブロックの両側に設けられた凹欠に上記付勢用コイルばねを挿入して付勢用コイルばねをコネクタ本体内の両側に夫々配置し、コネクタ本体の後部面から外部に臨んだ上記各付勢用コイルばねの後端からばね座用突片の一端を挿入し、上記付勢用コイルばねの後端から露出したばね座用突片の他端を上記コネクタ本体に固持させるので、スライダーや付勢用コイルばねの取り付けが簡単で、容易に組立ができるという効果がある。
【図面の簡単な説明】
【図１】本発明の実施形態１の分解斜視図である。
【図２】同上の斜視図である。
【図３】（ａ）は同上のベースシェルの背面図である。
（ｂ）は同上のベースシェルの上面図である。
（ｃ）は同上のベースシェルの正面図である。
（ｄ）は同上のベースシェルの一側面図である。
【図４】（ａ）は同上のコンタクトブロックの背面図である。
（ｂ）は同上の上面図である。
（ｃ）は同上の一側断面図である。
（ｄ）は同上の正面図である。
（ｅ）は同上の所定位置の側断面図である。
（ｆ）は同上の他側断面図である。
【図５】同上のベースシェルの一部省略せる展開図である。
【図６】（ａ）は同上のカバーシェルの背面図である。
（ｂ）は同上のカバーシェルの上面図である。
（ｃ）は同上のカバーシェルの正面図である。
（ｄ）は同上のカバーシェルの一側面図である。
【図７】（ａ）は同上のスライダーの一側面面図である。
（ｂ）は同上のスライダーの上面図である。
（ｃ）は同上のスライダーの他側面図である。
（ｄ）は同上のスライダーの正面図である。
【図８】（ａ）は同上の図７（ｂ）におけるＡ−Ａ断面図である。
（ｂ）は同上の図７（ｂ）におけるＢ−Ｂ断面図である。
（ｃ）は同上の図７（ｂ）におけるＣ−Ｃ断面図である。
【図９】同上のハートカム溝部の構成説明図である。
【図１０】（ａ）同上におけるメモリカードの挿着前の状態を示す一側部側の透視図である。
（ｂ）同上におけるメモリカードの挿着前の状態を示す上面からの透視図である。
（ｃ）同上におけるメモリカードの挿着前の状態を示す他側部側の透視図である。
（ｄ）同上におけるメモリカードの挿着前の状態を示す一部省略せる正面図である。
【図１１】（ａ）同上におけるメモリカードの挿着状態を示す一側部側の透視図である。（ｂ）同上におけるメモリカードの挿着状態を示す上面からの透視図である。（ｃ）同上におけるメモリカードの挿着状態を示す他側部側の透視図である。
【図１２】（ａ）は同上のスタンドオフ用のベースシェルの要部の一部省略せる上面図である。
（ｂ）は同上のスタンドオフ用のベースシェルの要部の一部省略せる正面図である。
【図１３】（ａ）は本発明の実施形態２のベースシェルの背面図である。
（ｂ）は同上のベースシェルの上面図である。
（ｃ）は同上のベースシェルの正面図である。
（ｄ）は同上のベースシェルの一側面図である。
【図１４】（ａ）は同上のカバーシェルの背面図である。
（ｂ）は同上のカバーシェルの上面図である。
（ｃ）は同上のカバーシェルの一側面図である。
【図１５】（ａ）は同上のスタンドオフ用のベースシェルの要部の一部省略せる上面図である。
（ｂ）は同上のスタンドオフ用のベースシェルの要部の一部省略せる正面図である。
【図１６】（ａ）は同上のコンタクトブロックの背面図である。
（ｂ）は同上の上面図である。
（ｃ）は同上の一側断面図である。
（ｄ）は同上の正面図である。
（ｅ）は同上の所定位置の側断面図である。
（ｆ）は同上の他側断面図である。
【図１７】同上の一部省略せる一側面図である。
【図１８】（ａ）は同上の別の形態スライダーの一側面面図である。
（ｂ）は同上のスライダーの上面図である。
（ｃ）は同上のスライダーの他側面図である。
（ｄ）は同上のスライダーの正面図である。
【図１９】（ａ）は本発明の実施形態３のばね座用突片の背面図である。
（ｂ）は同上の正面図である。
（ｃ）は同上の一側面図である。
【図２０】（ａ）は同上のベースシェルの背面図である。
（ｂ）は同上のベースシェルの上面図である。
（ｃ）は同上のベースシェルの左側面図である。
（ｄ）は同上のベースシェルの右側面図である。
（ｅ）は同上のベースシェルの正面図である。
【図２１】同上の分解斜視図である。
【図２２】（ａ）は同上の製造方法を説明する一斜視図である。
（ｂ）は同上の製造方法を説明する一斜視図である。
（ｃ）は同上の製造方法を説明する一斜視図である。
【図２３】（ａ）は実施形態１の別の形態スライダーの一側面面図である。
（ｂ）は同上のスライダーの上面図である。
（ｃ）は同上のスライダーの他側面図である。
（ｄ）は同上のスライダーの正面図である。
【図２４】従来例の分解斜視図である。
【符号の説明】
１  ベースシェル
２  カバーシェル
４  コンタクトブロック
５  スライダー
１０  コンタクト
１３  付勢用コイルばね
３０ａ，３０ｂ、３１ａ，３１ｂ  スイッチ片
【図１】
0003775338.tif 000002
【図２】
0003775338.tif 000003
【図３】
0003775338.tif 000004
【図４】
0003775338.tif 000005
【図５】
0003775338.tif 000006
【図６】
0003775338.tif 000007
【図７】
0003775338.tif 000008
【図８】
0003775338.tif 000009
【図９】
0003775338.tif 000010
【図１０】
0003775338.tif 000011
【図１１】
0003775338.tif 000012
【図１２】
0003775338.tif 000013
【図１３】
0003775338.tif 000014
【図１４】
0003775338.tif 000015
【図１５】
0003775338.tif 000016
【図１６】
0003775338.tif 000017
【図１７】
0003775338.tif 000018
【図１８】
0003775338.tif 000019
【図１９】
0003775338.tif 000020
【図２０】
0003775338.tif 000021
【図２１】
0003775338.tif 000022
【図２２】
0003775338.tif 000023
【図２３】
0003775338.tif 000024
【図２４】
0003775338.tif 000025